(57)【要約】【課題】コンパクトに構成され、手指の洗浄と乾燥と空気清浄とができる手指洗浄乾燥装置を提供する。【解決手段】洗浄乾燥室１２に洗浄液及び空気を供給して手指を洗浄及び乾燥する一方、切替弁５２により空気の流路を切り替えることで、装置外部から洗浄乾燥室１２に空気を取り込み、通路管３２、洗浄液トレイ３３、ブロアモーター室４１、ヘパフィルター４６、及びオゾン発生室４７を介し、清浄化された空気を装置外部に排出する。【選択図】図７
2012120717.tif 000002
【特許請求の範囲】
【請求項１】
本体ケースと、
手指を洗浄乾燥させる洗浄乾燥室と、
洗浄液を収容する洗浄液タンクと、
前記洗浄乾燥室内に前記洗浄液を噴出する洗浄液噴出ノズルと、
前記洗浄液タンクから前記洗浄液噴出ノズルに前記洗浄液を供給する洗浄液供給ポンプと、
前記洗浄乾燥室内に手指を乾燥させる空気を吐出する空気吐出口と、
前記空気吐出口に前記空気を供給するブロアモーターと、
前記ブロアモーターと前記空気吐出口との間に配設されるヘパフィルターと、
を備える手指洗浄乾燥装置において、  
前記洗浄乾燥室、前記ブロアモーター及び前記ヘパフィルターを順に介して前記空気吐出口に前記空気を循環させる手指乾燥流路と、
前記洗浄乾燥室と前記ブロアモーターとの間の前記手指乾燥流路中に配設され、手指を洗浄した後の前記洗浄液を貯留する洗浄液トレイと、
前記ヘパフィルターを通過した前記空気を装置外部へ排出する空気排出口と、
前記洗浄乾燥室、前記ブロアモーター及び前記ヘパフィルターを順に介して前記空気排出口に前記空気を送給させる空気清浄流路と、
前記手指乾燥流路と前記空気清浄流路とを切り替える切替手段と、
を備えることを特徴とする手指洗浄乾燥装置。
【請求項２】
請求項１記載の手指洗浄乾燥装置において、
前記切替手段は、前記ブロアモーターにより供給される空気の空気圧により、前記手指乾燥流路と前記空気清浄流路とを切り替える切替弁であることを特徴とする手指洗浄乾燥装置。
【請求項３】
請求項１記載の手指洗浄乾燥装置において、
前記切替手段は、前記手指乾燥流路と前記空気清浄流路とを切り替える電磁弁であることを特徴とする手指洗浄乾燥装置。
【請求項４】
請求項１〜３のいずれか1項に記載の手指洗浄乾燥装置において、
手指の洗浄のために噴出する前記洗浄液の液量が０．５ｃｃから１０ｃｃの間であることを特徴とする手指洗浄乾燥装置。
【請求項５】
請求項１〜４のいずれか1項に記載の手指洗浄乾燥装置において、
前記洗浄液が殺菌液であることを特徴とする手指洗浄乾燥装置。
【発明の詳細な説明】
【技術分野】
【０００１】
本発明は、手指の洗浄と乾燥を同じ装置内で行うことが可能な、空気清浄機能を備えた手指洗浄乾燥装置に関する。
【背景技術】
【０００２】
従来、洗浄後の手指に温風等を吹き付けることで、手指に付着した水分を吹き飛ばす乾燥装置が提供されている。しかし、この装置は単に温風等を吹き付けているだけであるため、手指に付着している雑菌も同時に吹き飛ばしてしまう。そのため、乾燥装置の周りにいる人が雑菌等を吸引することもあり、好ましくない。
【０００３】
そこで、装置内に吸引手段とフィルターを設け、手指に付着した水を空気とともに装置内に吸引し、フィルターで濾過して雑菌を除去する乾燥装置が提案されている（特許文献１、特許文献２）。
【０００４】
特許文献１に記載の装置は、装置内部に外気を吸引し、フィルターを通過させた後の空気を装置外部に排出する一方、その一部をエアダクトに戻し、エアダクトに設けられた空気吐出ノズルから空気を手指に吹き付け、手指を乾燥させるように構成している。
【０００５】
特許文献２に記載の装置は、ブロアモーターを用いて吸引した空気を空気吐出ノズルから手指に吹き付け、その空気をフィルターを介してブロアモーターに還流させることで、空気を外部に排出することなく空気吐出量を増加させ、短時間で手指を乾燥させるように構成している。
【０００６】
これらの装置は洗浄後の手指に付着した水分を空気とともに吸引してフィルターで濾過し、または、その空気を外部に排出することなく還流させているため、雑菌を装置外部に撒き散らせてしまうことはない。
【０００７】
また、一つの装置で手指の洗浄と乾燥を行うことのできる装置が提案されている（特許文献３、特許文献４）。
【０００８】
特許文献３に記載の装置は、装置内部に貯留した洗浄液をミストにして洗浄乾燥室に供給することで手指の洗浄を行い、その後、手指に乾燥空気を吹き付けて乾燥させるように構成している。洗浄液は、電気ヒーターで加温された後、超音波加振器でミストとされ、送風機で洗浄液タンク内を加圧して高周波誘導加熱器に送られ、加熱されて洗浄乾燥室に供給される。洗浄液を供給する洗浄液タンクには、給水管が連結され、また、洗浄乾燥室には、手指を洗浄した後のミストを排出する排水管が連結されている。そして、洗浄乾燥室からミストを外部に逃がさないため、洗浄乾燥室の入り口に環状チューブを配設し、洗浄中はチューブを膨張させてミストの外部への拡散を防止する構造となっている。
【０００９】
特許文献４に記載の装置は、洗浄乾燥室の開口部に設けられた洗浄手段から洗浄液を散布することで手指を洗浄した後、乾燥空気を手指に吹き付けて乾燥させるように構成している。なお、乾燥空気は、装置内で循環し、外部に排出されることはない。
【先行技術文献】
【特許文献】
【００１０】
【特許文献１】特開２００１−２４５８１９号公報
【特許文献２】特開２００３−２３５７５７号公報
【特許文献３】特開２０００−６０７６３号公報
【特許文献４】特開２００４−９７７４１号公報
【特許文献５】実開平４−１３７７２１号公報
【発明の概要】
【発明が解決しようとする課題】
【００１１】
しかしながら、特許文献１及び２に記載の装置は、手指を乾燥させる乾燥装置が手指を洗浄する洗面台とは別体であり、従って、手指の洗浄及び乾燥を行うためには、広いスペースが必要となる。また、手指を洗浄した後、洗面台から乾燥装置まで移動する間、手指に付着した水が床面に滴り落ちることで、雑菌が床面に撒き散らされてしまうため、好ましくない。さらに、洗面台で手指を洗浄するため、手指全体にかなりの量の水が付着することになり、本装置で手指を乾燥させる間に、装置内に相当量の水が貯留される。従って、装置内の水受けトレイに貯留した水を頻繁に排水し、あるいは、本装置に排水管を連結して水を外部に排水する必要がある。
【００１２】
特許文献３及び４に記載の装置は、手指の乾燥機能に加えて、洗浄機能を併せ持つため、特許文献１及び２におけるスペースや雑菌の問題を解消することができる。しかしながら、特許文献３の装置では、ミストの発生機構や手指の洗浄乾燥室の構造が複雑になるという問題がある。また、ヒーターや超音波加振器、高周波誘導加熱器などを用いるため、エネルギー消費量が多い。さらに、発生させたミストを含む空気を加圧して噴出させるため、ミストの消費量をコントロールすることが難しく、手指の洗浄に寄与しない大量のミストが消費され、かつ、ミストが洗浄乾燥室内に多量に噴出される。その結果として、洗浄液タンクには、給水管を導入して定期的に給水する必要がある。また、手指の洗浄後に大量に発生したミストを排出するため、排水管を設ける必要があり、装置の設置に手間、時間、費用がかかるという問題がある。さらに、特許文献４の装置では、洗浄液をどこからどのように供給するのかについての記載が全くなく、例えば、洗浄液を外部から供給するものとすると、特許文献３の場合と同様に、給排水の設備が必要となる。
【００１３】
一方、このような洗浄乾燥装置は、雑菌の除去と同時に、空気の清浄化も要求される場所、例えば、食品加工工場、クリーンルーム、病院、トイレ等に設置して使用することが想定される。この場合、洗浄乾燥装置に加えて、空気清浄機（例えば、特許文献５参照）を設置するためには、広いスペースが必要である。また、洗浄乾燥装置及び空気清浄機の導入に要する費用及びこれらを運転するための電力を確保することも必要となる。
【００１４】
そこで、例えば、特許文献４の洗浄乾燥装置に対して、特許文献５の空気清浄機の機能を組み込む場合を考える。特許文献４の洗浄乾燥装置は、周囲に雑菌を撒き散らすことなく、手指の乾燥を効率的に行うために、乾燥用空気を装置内で密閉状態として循環させている。一方、特許文献５の空気清浄機は、外部の空気を取り込んでフィルタリングした後、清浄化された空気を再び外部に排出している。この場合、洗浄乾燥装置では、装置内の密閉性が要求されるのに対して、空気清浄機では、取り込んだ空気を外部に排出する構成が要求されるため、これらの機能を切り替えることのできる構成とする必要がある。しかしながら、このような構成とした場合、装置構成が著しく複雑になることが懸念される。
【００１５】
本発明は、同じ装置内で手指の洗浄と乾燥を行うことができるとともに、空気清浄を行うことのできる簡便且つコンパクトな洗浄乾燥装置の提供を目的とする。
【課題を解決するための手段】
【００１６】
上記した目的を達成するために、本発明に係る手指洗浄乾燥装置は、本体ケースと、手指を洗浄乾燥させる洗浄乾燥室と、洗浄液を収容する洗浄液タンクと、前記洗浄乾燥室内に前記洗浄液を噴出する洗浄液噴出ノズルと、前記洗浄液タンクから前記洗浄液噴出ノズルに前記洗浄液を供給する洗浄液供給ポンプと、前記洗浄乾燥室内に手指を乾燥させる空気を吐出する空気吐出口と、前記空気吐出口に前記空気を供給するブロアモーターと、前記ブロアモーターと前記空気吐出口との間に配設されるヘパフィルターと、を備える手指洗浄乾燥装置において、前記洗浄乾燥室、前記ブロアモーター及び前記ヘパフィルターを順に介して前記空気吐出口に前記空気を循環させる手指乾燥流路と、前記洗浄乾燥室と前記ブロアモーターとの間の前記手指乾燥流路中に配設され、手指を洗浄した後の前記洗浄液を貯留する洗浄液トレイと、前記ヘパフィルターを通過した前記空気を装置外部へ排出する空気排出口と、前記洗浄乾燥室、前記ブロアモーター及び前記ヘパフィルターを順に介して前記空気排出口に前記空気を送給させる空気清浄流路と、前記手指乾燥流路と前記空気清浄流路とを切り替える切替手段と、を備えることを特徴とする。
【００１７】
本発明に係る手指洗浄乾燥装置は、前記切替手段は、前記ブロアモーターにより供給される空気の空気圧により、前記手指乾燥流路と前記空気清浄流路とを切り替える切替弁であることを特徴とする。
【００１８】
本発明に係る手指洗浄乾燥装置は、前記切替手段は、前記手指乾燥流路と前記空気清浄流路とを切り替える電磁弁であることを特徴とする。
【００１９】
本発明に係る手指洗浄乾燥装置は、手指の洗浄のために噴出する前記洗浄液の液量が０．５ｃｃから１０ｃｃの間であることを特徴とする。
【００２０】
本発明に係る手指洗浄乾燥装置は、前記洗浄液が殺菌液であることを特徴とする。
【発明の効果】
【００２１】
本発明に係る手指洗浄乾燥装置は、１つの装置で手指の洗浄及び乾燥を行うことができるため、手洗い設備を別途必要とすることがなく、大幅な省スペースを実現することのできる洗浄乾燥装置を提供することができる。また、手指の洗浄においては、洗浄液タンク内の洗浄液を供給ポンプで洗浄液噴出ノズルまで供給し、手指の必要個所にのみ噴出させる機構であるため、洗浄液の消費量を節減することができる。そして、洗浄液タンクを装置に付属させ、かつ洗浄液の使用も少量であり、洗浄後の洗浄液も、洗浄液トレイを空気の流路上に配設することで容易に洗浄水を蒸発させることができるため、装置の外部に連結する給排水管が不要となる。さらに、手指を乾燥させるための空気の流路（手指乾燥流路）と空気清浄のための空気の流路（空気清浄流路）とを切替手段を用いて切り替えることにより、乾燥処理のための空気を吸引するブロアモーター及びヘパフィルターの機能を流用して空気清浄を行うことができる。すなわち、手指の乾燥時には装置の密閉性を担保しつつ空気を装置内で循環させ、空気清浄時には装置の外部から空気を取り込み清浄化した後に空気を排出することが可能となる。さらにまた、人体に対する安全性が高くかつ殺菌効果の高い殺菌液（弱酸性次亜塩素酸水等）を噴霧することで、少量の洗浄水（殺菌液）でも効果的な殺菌効果をもたらすことができる。
【図面の簡単な説明】
【００２２】
【図１】本実施形態の手指洗浄乾燥装置の全体構成斜視図である。
【図２】本実施形態の手指洗浄乾燥装置の正面図である。
【図３】本実施形態の手指洗浄乾燥装置の内部斜視図である。
【図４】本実施形態の手指洗浄乾燥装置の内部正面図である。
【図５】本実施形態の手指洗浄乾燥装置の内部側面図である。
【図６】本実施形態の手指洗浄乾燥装置の手指乾燥流路を示す図である。
【図７】本実施形態の手指洗浄乾燥装置の空気清浄流路を示す図である
【図８】本実施形態の手指洗浄乾燥装置の動作フローチャートである。
【図９】本実施形態の手指洗浄乾燥装置の手指洗浄の概念図である。
【図１０】本実施形態の電磁弁を用いた変形例の説明図である。
【発明を実施するための形態】
【００２３】
以下、本発明の実施の形態を図面に基づいて説明する。
＜装置構成＞
【００２４】
図１は本実施形態の手指洗浄乾燥装置１０の全体構成斜視図である。図２は本実施形態の手指洗浄乾燥装置１０の正面図である。図１及び図２に示すように、手指洗浄乾燥装置１０は略直方体形状からなり、工場、事業所、病院、その他、様々な場所に設置して使用することができる。手指洗浄乾燥装置１０の上面には、洗浄乾燥のために手指を入れる手指挿入口１３と、手指洗浄乾燥装置１０を操作するための操作パネル１６とが設けられている。また、手指洗浄乾燥装置１０の正面の本体ケース１１には、清浄化された後の空気が排出される排気口１４と、後述する洗浄液トレイ３４の取り出しや、洗浄液タンク３６ａ、３６ｂを交換するための前面扉１８とが設けられている。
【００２５】
図３は本実施形態の手指洗浄乾燥装置１０の内部斜視図である。図３に示すように、手指挿入口１３に連通する洗浄乾燥室１２は、手指を挿入して洗浄と乾燥を行うための空間を有し、洗浄乾燥室１２から手指洗浄乾燥装置１０の下部に向かって通路管３２が延設され、通路管３２の下端部が洗浄液トレイ室３３に導入される。洗浄液トレイ室３３の下には洗浄液タンク室３７が設けられており、洗浄液トレイ室３３の上部にはプレフィルター４２が配設され、プレフィルター４２の上部にブロアモーター室４１が配設される。ブロアモーター室４１の上部にはヘパフィルター４６が配設され、ヘパフィルター４６の上部にオゾン発生室４７が配設される。オゾン発生室４７にはダクトホース２６ａ及び２６ｂが接続され、ダクトホース２６ａ及び２６ｂは洗浄乾燥室１２内に配設されるエアダクト２２ａ及び２２ｂへとそれぞれ連接される。
【００２６】
以下、各部分ごとに詳細に説明を行う。図４は本実施形態の手指洗浄乾燥装置１０の内部正面図である。図４に示すように、洗浄乾燥室１２の上部の手指挿入口１３の両側部には手指の挿入を検知するセンサー２０ａ及び２０ｂが配設される。なお、センサー２０ａまたは２０ｂは片側のみに設けられていても良い。洗浄乾燥室１２内の上部正面側と上部背面側には、略水平方向に延在するエアダクト２２a及び２２ｂが並行して配設されており、エアダクト２２a及び２２ｂには洗浄乾燥室１２内に向けて空気を吐出するための複数の空気吐出口２４が対向するように設けられる。
【００２７】
前記エアダクト２２aの下部には洗浄液を洗浄乾燥室１２内に噴出するための洗浄液噴出ノズル２８ａ〜２８ｄが配設されており、エアダクト２２ｂの下部には洗浄液噴出ノズル２８e〜２８ｈが配設される。また、前記洗浄液噴出ノズル２８ｅ〜２８ｈの下部にはハロゲンランプ３０が配設される。
【００２８】
図５は本実施形態の手指洗浄乾燥装置１０の内部側面図である。図６は本実施形態の手指洗浄乾燥装置１０の手指乾燥流路Ｒ１を示す図である。図７は本実施形態の手指洗浄乾燥装置１０の空気清浄流路Ｒ２を示す図である。図５に示すように、洗浄乾燥室１２は、手指挿入口１３から下方向に向って徐々に狭まっており、その下端部が通路管３２に接続される。通路管３２は装置下部に延設され、洗浄液トレイ室３３に接続される。洗浄液トレイ室３３内には洗浄液トレイ３４が設置される。洗浄液トレイ３４は通路管３２を介して滴下してくる洗浄液を受けることができる位置にあり、かつ通路管３２から流入してくる空気の流路の延長線上に配設される。
【００２９】
図４、図５に示すように、洗浄液トレイ室３３の下部には洗浄液タンク室３７が備えられており、洗浄液タンク室３７の内部には洗浄液タンク３６ａ及び３６ｂが配設される。洗浄液タンク３６ａには、手指を洗浄するための洗剤が収容され、洗浄液タンク３６ｂには、手指を殺菌するための殺菌液が収容される。洗浄液タンク３６ａには供給ポンプ３８ａ及び３８ｂが、洗浄液タンク３６ｂには供給ポンプ３８ｃ及び３８ｄがそれぞれ配設される。また、供給ポンプ３８ａには洗浄液を供給するチューブ４０aが、供給ポンプ３８ｂにはチューブ４０ｂが、ポンプ３８ｃにはチューブ４０ｃが、ポンプ３８ｄにはチューブ４０ｄが接続される。それぞれのチューブ４０ａ〜４０ｄは途中で二股に分岐しており、チューブ４０aは洗浄液噴出ノズル２８aと２８ｅに、チューブ４０ｂは洗浄液噴出ノズル２８ｃと２８ｇに、チューブ４０ｃは洗浄液噴出ノズル２８ｂと２８ｆに、チューブ４０ｄは洗浄液噴出ノズル２８ｄと２８ｈに連結される。（図９参照）
【００３０】
ブロアモーター室４１の下部にはプレフィルター４２が配設されており、洗浄液トレイ室３３に流入した空気はプレフィルター４２を通過してブロアモーター室４１内へと流入する。そして、ブロアモーター室４１内にはブロアモーター４４a及び４４ｂが設置され、空気吐出口２４に空気が供給される。
【００３１】
ブロアモーター４４ａ及び４４ｂの上部にはヘパフィルター４６(HEPA Filter：High Efficiency Particulate Air Filter)が配設される。ヘパフィルター４６の上部にはオゾン発生室４７が設けられており、オゾン発生室４７内にはオゾン発生器４８が配設される。すなわち、ブロアモーター室４１内に流入した空気はヘパフィルター４６を通過してオゾン発生室４７内へと流入する。オゾン発生室４７にはダクトホース２６ａ及び２６ｂが接続され、それぞれエアダクト２２ａ及び２２ｂへと連結される。
【００３２】
オゾン発生室４７には空気排出口５０が設けられるとともに、空気排出口５０を開閉できる切替弁５２（切替手段）が配設される。また、空気排出口５０から空気をオゾン発生室４７の外部へ排出するために、空気排出口５０に隣接してファン５４が配設されており、ファン５４に近接した本体ケース１１には排気口１４が設けられる。
【００３３】
なお、手指洗浄乾燥装置１０には、洗浄乾燥室１２から、通路管３２、洗浄液トレイ３４、ブロアモーター４４ａ、４４ｂ、ヘパフィルター４６、オゾン発生器４８を順に介して空気吐出口２４に至る空気の循環流路である手指乾燥流路Ｒ１が構成される（図６参照）。また、手指洗浄乾燥装置１０には、洗浄乾燥室１２から、通路管３２、洗浄液トレイ３４、ブロアモーター４４ａ、４４ｂ、ヘパフィルター４６、オゾン発生器４８を順に介して空気排出口５０に至る空気清浄流路Ｒ２が構成される（図７参照）。
【００３４】
手指洗浄乾燥装置１０の内部には制御部５６が配設されており、制御部５６は操作パネル１６の制御、センサー２０ａ及び２０ｂによる手指の検知、ハロゲンヒーター３０の制御、供給ポンプ３８ａ〜３８ｄの制御、ブロアモーター４４ａ及び４４ｂの制御、オゾン発生器４８の制御、ファン５４の制御、及び切替弁５２の制御を行う。
＜装置の使用方法＞
【００３５】
本実施形態の手指洗浄乾燥装置１０は、基本的には以上のように構成される。次に、図８に示すフローチャートに基づき、手指洗浄乾燥装置１０の使用方法を説明する。
＜１．手指の洗浄乾燥＞
【００３６】
作業者が操作パネル１６を操作して手指洗浄乾燥装置１０を始動させると、手指洗浄乾燥装置１０が初期化処理される（ステップＳ１）。次いで、手指挿入口１３から手指を洗浄乾燥室１２に入れると、センサー２０ａ及び２０ｂが手指を検知し（ステップＳ２）、制御部５６は洗浄液タンク３６ａに備えられたポンプ３８ａ及び３８ｂを作動させる（ステップＳ３）。ポンプ３８ａ及び３８ｂが作動することで、洗浄液タンク３６ａ内の洗浄液（洗剤）はチューブ４０ａ、４０ｂを経由して洗浄液噴出ノズル２８aと２８ｅ及び２８ｃと２８ｇへと供給され、洗浄液噴出ノズル２８a、２８ｅから左手へ、洗浄液噴出ノズル２８ｃ、２８ｇから右手に洗浄液（洗剤）が噴霧される（図９参照）。
【００３７】
この時、噴霧される洗浄液（洗剤）は０．５ｃｃから１０ｃｃの範囲で調整される。手指に噴霧された洗浄液（洗剤）は余剰分が手指からしたたり落ち、通路管３２を通って洗浄液トレイ３４内に貯留されるが、噴霧される洗浄液量が微量であるために、一回の洗浄で洗浄液トレイ３４に貯留される液量は多くても数ｃｃ程度である。
【００３８】
洗浄液噴出ノズル２８ａ、２８ｃ、２８ｅ、２８ｇから洗浄液（洗剤）を噴霧し所定時間経過後（ステップＳ４）、制御部５６は、ポンプ３８ａ及び３８ｂを停止させる一方、洗浄液タンク３６ｂに備えられたポンプ３８ｃ及び３８ｄを作動させ（ステップＳ５）、洗浄液タンク３６ｂ内の洗浄液（殺菌液）がチューブ４０ｃ及び４０ｄを通り洗浄液噴出ノズル２８ｂと２８ｄ及び２８ｆと２８ｈへと供給され、洗浄液噴出ノズル２８ｂ、２８ｆから左手へ、洗浄液噴出ノズル２８ｄ、２８ｈから右手に向けて噴霧される（図９参照）。ここで、ステップ４における所定時間とは、洗浄液（洗剤）が手指に噴霧されて十分に手指の洗浄が行われる時間を指し、洗浄液（洗剤）の噴霧から次のステップに移るまでの時間であり、数秒から数分の間で任意に調整される。
【００３９】
またこの時、噴霧される洗浄液（殺菌液）は０．５ｃｃから１０ｃｃの範囲で調整される。手指に噴霧された洗浄液（殺菌液）は手指を洗浄した後に少量が手指から滴下し、通路管３２を通って洗浄液トレイ３４内に貯留されるが、噴霧される洗浄液量が微量であるために、一回の洗浄で洗浄液トレイ３４に貯留される液量は多くても数ｃｃ程度である。
【００４０】
ここで、殺菌液とは、手指に付着した雑菌を殺菌する溶液であれば何でも良く、例えば、洗剤、アルコール、酸化剤、マーキュロクロム液、オゾン水、アルカリ性次亜塩素酸水、酸性次亜塩素酸水、弱酸性次亜塩素酸水などが用いられるが、特に洗浄液タンク３６ａには洗剤を、洗浄液タンク３６ｂには弱酸性次亜塩素酸水を入れておくことが好ましい。
【００４１】
弱酸性次亜塩素酸水とは、ＰＨが６．０から７．０の殺菌消毒剤であり、人体に対する毒性もほとんど認められず、極めて安定で安全な殺菌液である。弱酸性次亜塩素酸水を０．５ｃｃから１０ｃｃ噴霧することにより、手指に付着した雑菌を効果的に除去することが可能である。また弱酸性次亜塩素酸水が噴霧されることにより、手指から滴下した弱酸性次亜塩素酸水が装置内部での菌の繁殖を防止する効果がある。従って、洗浄液タンク３６ａには洗剤を、洗浄液タンク３６ｂには弱酸性次亜塩素酸水を入れておくことにより、まず手指に付着した油分を除去し、その後、手指に付着している雑菌を弱酸性次亜塩素酸水により殺菌することができる。
【００４２】
洗浄液噴出ノズル２８ｂ、２８ｄ、２８ｆ、２８ｈから洗浄液（殺菌液）を噴霧し、所定の時間が経過した後（ステップＳ６）、制御部５６はハロゲンランプ３０、ブロアモーター４４ａ及び４４ｂ、オゾン発生器４８を稼働させる（ステップＳ７）。ステップ６における所定時間とは、洗浄液（殺菌液）が手指に噴霧されて十分に手指の殺菌が行われる時間を指し、洗浄液（殺菌液）の噴霧から次のステップに移るまでの時間であり、数秒から数分の間で任意に調整される。
【００４３】
ブロアモーター４４ａ及び４４ｂが稼働されると、洗浄液トレイ室３３側から吸引された空気がブロアモーター室４１からオゾン発生室４７へ流入し、オゾンにより殺菌される。オゾン発生室４７に流入した空気は、空気圧によって切替弁５２を持ち上げ、空気排出口５０を閉鎖させる。空気排出口５０が閉鎖されることにより、空気はオゾン発生室４７からダクトホース２６ａ及び２６ｂへ流出し、空気吐出口２４から洗浄乾燥室１２へ吐出される。吐出した空気は、その後、通路管３２を経由して、洗浄液トレイ室３３からブロアモーター室４１へと循環する。すなわち、洗浄乾燥室１２と洗浄液トレイ室３３とブロアモーター室４１と空気吐出口２４とを循環する手指乾燥流路Ｒ１が形成され、装置内の空気は手指乾燥流路Ｒ１を循環することとなる。
【００４４】
手指に付着した雑菌は手指乾燥流路Ｒ１を循環する空気中に飛散するが、ヘパフィルター４６によりほとんどの雑菌は補足される。また、空気中に極微量残留した雑菌もオゾン発生器４８で発生したオゾンによりほぼ完全に無菌状態となり、無菌状態となった空気が空気吐出口２４から吐出して手指に付着した洗浄液を吹き飛ばし、手指を乾燥させる。この時、ハロゲンランプ３０が点灯することにより遠赤外線が手指に照射され、手指から水分の除去と滅菌を促進する。また、空気を加温して手指から水分を蒸発させる効果がある。
【００４５】
その後、所定の時間が経過した後（ステップＳ８）、制御部５６はハロゲンランプ３０、ブロアモーター４４ａ及び４４ｂ、オゾン発生器４８を停止させる（ステップＳ９）。ここで、ステップ８における所定時間とは、ブロアモーター４４ａ及び４４ｂが稼働してから手指が十分に乾燥するまでの時間を指し、数秒から数分の間で任意に設定される。
＜２．装置の乾燥＞
【００４６】
手指の洗浄及び乾燥が終了した後、所定の時間（手指の洗浄及び乾燥のためのブロアモーター４４ａ及び４４ｂの稼働が停止してから、数分から数時間の間で任意に調整される）が経過すると（ステップＳ１０）、制御部５６は再びハロゲンランプ３０、ブロアモーター４４ａ及び４４ｂ、オゾン発生器４８を稼働させ（ステップＳ１１）、装置内の通路管３２や洗浄液トレイ３４に残留した水分を除去させる。同時に、装置内部に繁殖した雑菌をヘパフィルター４６及びオゾン発生器４８で発生させたオゾンにより除去する。制御部５６は所定の時間（ブロアモーター４４ａ及び４４ｂの稼働後、数分から数十分の間で任意に設定される）経過後（ステップＳ１２）、ハロゲンランプ３０、ブロアモーター４４ａ及び４４ｂ、オゾン発生器４８を停止させる（ステップＳ１３）。
＜３．空気清浄＞
【００４７】
さらに、手指洗浄乾燥装置１０は空気清浄機能を備えており、その動作を説明する。
【００４８】
手指洗浄乾燥装置１０の乾燥運転が終了し、所定の時間（上述した装置の乾燥運転時において、ブロアモーター４４ａ及び４４ｂの停止後数分から数時間の間で任意に調整される）が経過すると（ステップＳ１４）、制御部５６はハロゲンランプ３０、ブロアモーター４４ａ、オゾン発生器４８、ファン５４を稼働させる（ステップＳ１５）。このとき、ブロアモーター４４aまたは４４ｂのうちいずれか一方のみを低出力で運転制御することにより、切替弁５２が空気排出口５０を閉鎖しない程度の風量の空気をオゾン発生室４７内に供給する。従って、空気排出口５０は開口された状態となり、装置外部と洗浄乾燥室１２と洗浄液トレイ３４とブロアモーター室４１とオゾン発生室４７と空気排出口５０との順に連結する空気清浄流路Ｒ２が形成される。
【００４９】
装置外部から流入した空気は、洗浄乾燥室１２から空気清浄流路Ｒ２を通り、ヘパフィルター４６で濾過され、オゾン発生室４７に到達した後、オゾンにより浄化され、ファン５４により空気排出口５０から装置外部へと排気される。この繰り返しにより手指洗浄乾燥装置１０の置かれた部屋全体の空気清浄を行うことができる。
【００５０】
この場合、洗浄乾燥室１２から洗浄液トレイ３４、ブロアモーター室４１を介してオゾン発生室４７に至る空気清浄流路Ｒ２（図７）は、図６に示す手指乾燥流路Ｒ１と大部分が共通であり、共通部分に配設されるプレフィルター４２、ブロアモーター４４ａ、ヘパフィルター４６、オゾン発生器４８を共有している。従って、手指洗浄乾燥装置１０には、空気清浄機能を低コストかつコンパクトな構成で実現することができる。
【００５１】
また、空気清浄流路Ｒ２中に置かれた洗浄液トレイ３４に貯留された洗浄後の洗浄液（汚水）は空気清浄流路Ｒ２を通る空気により蒸発が促進され、蒸発した水分は空気清浄流路Ｒ２を経由して装置外に排出される。その結果、洗浄液トレイ３４の汚水が自動的に除去されるため、汚水を排出するための作業や排水管が不要となる。
【００５２】
所定の時間（ブロアモーター４４ａの稼働後数分から数十時間の間で任意に調整される）が経過した後、制御部５６はブロアモーター４４ａ、オゾン発生器４８、ファン５４を停止させる（ステップＳ１７）。なお、空気清浄処理は、装置の乾燥運転後だけでなく、手指の洗浄乾燥が終了する毎に行うようにしてもよい。
＜本実施形態の変形例＞
【００５３】
以下に本実施形態の変形例を示す。
【００５４】
図１０は本実施形態の電磁弁を用いた変形例の説明図である。この変形例では、空気圧により駆動される切替弁５２に代えて、制御部５６により駆動制御される三方弁である電磁弁５８（切替手段）を用いる。電磁弁５８の入口はオゾン発生器４８を介してヘパフィルター４６に接続され、電磁弁５８の第１出口はエアダクト２２ａ、２２ｂに接続され、電磁弁５８の第２出口はファン５４に接続される。他の構成は、前述した実施形態と同様である。
【００５５】
手指の乾燥処理を行う場合、制御部５６は電磁弁５８を駆動制御し、ブロアモータ４４ａ、４４ｂ、ヘパフィルター４６、オゾン発生器４８、電磁弁５８及びエアダクト２２ａ、２２ｂを経由する手指乾燥流路Ｒ１（図６参照）を形成する。そして、この手指乾燥流路Ｒ１に従って空気を循環させることにより、手指の乾燥処理が行われる。
【００５６】
一方、空気の清浄処理を行う場合、制御部５６は電磁弁５８を駆動制御し、ブロアモータ４４ａ、４４ｂ、ヘパフィルター４６、オゾン発生器４８、電磁弁５８及びファン５４を経由する空気清浄流路Ｒ２（図７参照）を形成する。そして、この空気清浄流路Ｒ２に従って、装置外部の空気をヘパフィルター４６及びオゾン発生器４８を介して排気口１４から排出させることにより、空気の清浄が行われる。
【００５７】
なお、本発明は、上述した実施の形態に限定されるものではなく、本発明の主旨を逸脱しない範囲で変更することが可能である。
【００５８】
例えば、空気清浄機能のために装置外部に空気を排気する排気口１４は手指洗浄乾燥装置１０の上部、側面、あるいは背面に配置することができる。したがって、排気口１４を装置上部に設け、オゾン発生室４７の空気排気口５０と排気口１４とをダクトにより連結しても良い。
【００５９】
また、ブロアモーター４４ａ、４４ｂは十分な能力があれば１台でも良く、洗浄液タンク３６ａ、３６ｂも用途によって１台としたり、あるいは３台以上を設置することもできる。洗浄液を噴霧する洗浄液噴出ノズル２８ａ〜２８ｈの数も用途により増減させることが可能である。
【００６０】
洗浄液タンク３６ａに弱酸性次亜塩素酸水を、洗浄液タンク３６ｂにアルコールを入れて殺菌効果を高めることもできる。あるいは、片方の洗浄液タンク３６ａまたは３６ｂのみを使用して手指を洗浄することも可能である。さらに、手指の洗浄及び殺菌時間は任意に変更することができる。
【００６１】
さらに、空気排出口５０から排気口１４まで適切に空気が排出されれば、ファン５４を省略しても良い。また、省コスト・省エネルギーのために、ハロゲンランプ３０を省略しても良い。
【符号の説明】
【００６２】
１０・・・手指洗浄乾燥装置
１１・・・本体ケース
１２・・・洗浄乾燥室
１３・・・手指挿入口
１４・・・排気口
１６・・・操作パネル
１８・・・前面扉
２０ａ、２０ｂ・・・センサー
２２a、２２ｂ・・・エアダクト
２４・・・空気吐出口
２６ａ、２６ｂ・・・ダクトホース
２８ａ〜２８ｄ、２８e〜２８ｈ・・・洗浄液噴出ノズル
３０・・・ハロゲンランプ
３２・・・通路管
３３・・・洗浄液トレイ室
３４・・・洗浄液トレイ
３６ａ、３６ｂ・・・洗浄液タンク
３７・・・洗浄液タンク室
３８ａ、３８ｂ、３８ｃ、３８ｄ・・・供給ポンプ
４０a、４０ｂ、４０ｃ、４０ｄ・・・チューブ
４１・・・ブロアモーター室
４２・・・プレフィルター
４４a、４４ｂ・・・ブロアモーター
４６・・・ヘパフィルター
４７・・・オゾン発生室
４８・・・オゾン発生器
５０・・・空気排出口
５２・・・切替弁
５４・・・ファン
５６・・・制御部
５８・・・電磁弁
Ｒ１・・・手指乾燥流路
Ｒ２・・・空気清浄流路
【図１】
2012120717.tif 000003
【図２】
2012120717.tif 000004
【図３】
2012120717.tif 000005
【図４】
2012120717.tif 000006
【図５】
2012120717.tif 000007
【図６】
2012120717.tif 000008
【図７】
2012120717.tif 000009
【図８】
2012120717.tif 000010
【図９】
2012120717.tif 000011
【図１０】
2012120717.tif 000012